(57)【要約】      （修正有）【課題】不使用時にリーダー部材が保持部から離脱しないように構成されたケースを、金型の構成が複雑化することなく成形できるようにする。【解決手段】上ケース１４と下ケース１６とで構成され記録テープＴが巻装されたリール２０を単一で収容するケース１２と、記録テープＴの端部に直接又はリーダーテープを介して取り付けられ両端に鍔部３６が形成されたリーダー部材３０と、ケース１２に形成されリーダー部材３０を引き出すための開口１８と、上ケース１４及び下ケース１６に取り付けられ開口１８の近傍でリーダー部材３０の鍔部３６を保持する保持部４０と、上ケース１４及び下ケース１６に形成されリーダー部材３０の鍔部３６の互いに対向する内面側で鍔部３６にオーバーラップする張出部と、を有する記録テープカートリッジ１０とする。【選択図】図２
2009099208.tif 000002
【特許請求の範囲】
【請求項１】
上ケースと下ケースとで構成され、記録テープが巻装されたリールを単一で収容するケースと、
前記記録テープの端部に直接又はリーダーテープを介して取り付けられ、両端に鍔部が形成されたリーダー部材と、
前記ケースに形成され、前記リーダー部材を引き出すための開口と、
前記上ケース及び前記下ケースに取り付けられ、前記開口の近傍で前記リーダー部材の鍔部を保持する保持部と、
前記上ケース及び前記下ケースに形成され、前記リーダー部材の鍔部の互いに対向する内面側で、該鍔部にオーバーラップする張出部と、
を有することを特徴とする記録テープカートリッジ。
【請求項２】
前記保持部が金属製であることを特徴とする請求項１に記載の記録テープカートリッジ。
【請求項３】
上ケースと下ケースとで構成され、記録テープが巻装されたリールを単一で収容するケースと、
前記記録テープの端部に直接又はリーダーテープを介して取り付けられ、両端に鍔部が形成されたリーダー部材と、
前記ケースに形成され、前記リーダー部材を引き出すための開口と、
前記上ケース及び前記下ケースの何れか一方に形成され、前記リーダー部材の鍔部の互いに対向する内面側で、該鍔部にオーバーラップする張出部と、
前記張出部が形成されている前記上ケース及び前記下ケースの何れか一方に別体として取り付けられるとともに、前記張出部が形成されていない前記上ケース及び前記下ケースの何れか他方に別体として取り付けられるか又は一体として形成され、前記開口の近傍で前記リーダー部材の鍔部を保持する保持部と、
を有することを特徴とする記録テープカートリッジ。
【請求項４】
別体として取り付けられる前記保持部が金属製であることを特徴とする請求項３に記載の記録テープカートリッジ。
【発明の詳細な説明】
【技術分野】
【０００１】
本発明は、主にコンピューター等の記録再生媒体として使用される磁気テープ等の記録テープが巻装されたリールをケース内に単一で収容してなる記録テープカートリッジに関する。
【背景技術】
【０００２】
従来から、コンピューター等のデータ記録再生媒体（データバックアップ）として使用されている磁気テープ等の記録テープをリールに巻装し、そのリールを上ケースと下ケースとで構成されたケース内に単一で収容してなる記録テープカートリッジが知られている。この記録テープの先端には、ドライブ装置の引出部材が引き出すリーダー部材が固着されており、そのリーダー部材の一例としては、記録テープが直接又はリーダーテープを介して固着される本体部の両端にフランジ部を備えた略アレイ状のリーダーピンがある。
【０００３】
このリーダーピンは、開口近傍における上ケース及び下ケースに形成された凹状の保持部にフランジ部が収容され、バネ等でそのフランジ部が押さえられることにより、ケースの高さ方向を軸方向として保持される。したがって、落下等により、その開口近傍に衝撃が加えられて、上ケースと下ケースとが互いに離隔するように撓み変形する（いわゆる口開きする）と、保持部からフランジ部が外れて、リーダーピンが傾いたり、保持部から離脱するおそれがあった。
【０００４】
このような現象が起きると、ドライブ装置の引出部材がリーダーピンに対するチャック不良を起こし、システムエラーとなってしまう問題が生じる。そのため、保持部に、リーダーピンのフランジ部が係止されるアンダーカット溝、即ちフランジ部が入り込む凹溝を形成し、保持部からリーダーピンのフランジ部が外れるのを防止した記録テープカートリッジが従来に提案された（例えば、特許文献１参照）。
【０００５】
しかしながら、このようなアンダーカット溝は、金型にスライド機構を設けて成形する必要があるなど、金型の構成が複雑になったり、金型が高価になったりする問題がある。また、保持部付近の形状は複雑であるため、金型にスライド機構を設けて成形すると、形状の安定化が図り難くなり、トラブルが発生しやすくなる問題もある。
【特許文献１】特開２００１−１４８１７９号公報
【発明の開示】
【発明が解決しようとする課題】
【０００６】
そこで、本発明は、上記事情に鑑み、不使用時にリーダー部材が保持部から離脱しないように構成されたケースを、金型の構成が複雑化することなく成形できるようにした記録テープカートリッジを得ることを目的とする。
【課題を解決するための手段】
【０００７】
上記の目的を達成するために、本発明に係る請求項１に記載の記録テープカートリッジは、上ケースと下ケースとで構成され、記録テープが巻装されたリールを単一で収容するケースと、前記記録テープの端部に直接又はリーダーテープを介して取り付けられ、両端に鍔部が形成されたリーダー部材と、前記ケースに形成され、前記リーダー部材を引き出すための開口と、前記上ケース及び前記下ケースに取り付けられ、前記開口の近傍で前記リーダー部材の鍔部を保持する保持部と、前記上ケース及び前記下ケースに形成され、前記リーダー部材の鍔部の互いに対向する内面側で、該鍔部にオーバーラップする張出部と、を有することを特徴としている。
【０００８】
請求項１に記載の発明によれば、不使用時に、落下等により開口近傍に衝撃が加えられて、上ケースと下ケースとが互いに離隔するように撓み変形しても（いわゆる口開きしても）、リーダー部材は、鍔部の内面側にオーバーラップする張出部により、その鍔部が押さえられるので、保持部から離脱するおそれがない。また、この張出部は、通常上ケースや下ケースと一体成形される場合には、いわゆるアンダーカット部となって金型の構成が複雑化するが、本発明では張出部と上下方向で対向する保持部が、上ケース及び下ケースとは別体で成形され、上ケース及び下ケースに取り付けられる構成になっているため、アンダーカット部にならない。したがって、金型の構成が複雑化することがなく、金型が高価になることもない。また、これにより、張出部付近の形状を安定化できるので、トラブルの発生を防止することができる。
【０００９】
また、請求項２に記載の記録テープカートリッジは、請求項１に記載の記録テープカートリッジにおいて、前記保持部が金属製であることを特徴としている。
【００１０】
請求項２に記載の発明によれば、リーダー部材が保持される開口近傍において、落下等に対する耐衝撃性を向上させることができる。したがって、リーダー部材の保持部からの離脱をより一層防止することができる。
【００１１】
また、本発明に係る請求項３に記載の記録テープカートリッジは、上ケースと下ケースとで構成され、記録テープが巻装されたリールを単一で収容するケースと、前記記録テープの端部に直接又はリーダーテープを介して取り付けられ、両端に鍔部が形成されたリーダー部材と、前記ケースに形成され、前記リーダー部材を引き出すための開口と、前記上ケース及び前記下ケースの何れか一方に形成され、前記リーダー部材の鍔部の互いに対向する内面側で、該鍔部にオーバーラップする張出部と、前記張出部が形成されている前記上ケース及び前記下ケースの何れか一方に別体として取り付けられるとともに、前記張出部が形成されていない前記上ケース及び前記下ケースの何れか他方に別体として取り付けられるか又は一体として形成され、前記開口の近傍で前記リーダー部材の鍔部を保持する保持部と、を有することを特徴としている。
【００１２】
請求項３に記載の発明によれば、不使用時に、落下等により開口近傍に衝撃が加えられて、上ケースと下ケースとが互いに離隔するように撓み変形しても（いわゆる口開きしても）、リーダー部材は、鍔部の内面側にオーバーラップする張出部により、その傾倒が抑制されるので、保持部から離脱し難くできる。また、この張出部は、通常上ケースや下ケースと一体成形される場合には、いわゆるアンダーカット部となって金型の構成が複雑化するが、本発明では張出部が形成されている上ケース又は下ケースにおいて、その張出部と上下方向で対向する保持部が、その上ケース又は下ケースと別体で成形され、その上ケース又は下ケースに取り付けられる構成になっているため、アンダーカット部にならない。したがって、金型の構成が複雑化することがなく、金型が高価になることもない。また、これにより、張出部付近の形状を安定化できるので、トラブルの発生を防止することができる。
【００１３】
また、請求項４に記載の記録テープカートリッジは、請求項３に記載の記録テープカートリッジにおいて、別体として取り付けられる前記保持部が金属製であることを特徴としている。
【００１４】
請求項４に記載の発明によれば、リーダー部材が保持される開口近傍において、落下等に対する耐衝撃性を向上させることができる。したがって、リーダー部材の保持部からの離脱をより一層防止することができる。
【発明の効果】
【００１５】
以上のように、本発明によれば、不使用時にリーダー部材が保持部から離脱しないように構成されたケースを、金型の構成が複雑化することなく成形できる記録テープカートリッジを提供することができる。
【発明を実施するための最良の形態】
【００１６】
以下、本発明の最良な実施の形態について、図面に示す実施例を基に詳細に説明する。なお、その説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とし、矢印Ａ及び矢印Ｂと直交する矢印Ｃ方向を上方向（上側）とする。
【００１７】
図１、図２で示すように、記録テープカートリッジ１０は、略矩形箱状のケース１２を有している。このケース１２は、ポリカーボネート（ＰＣ）等の合成樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１８】
ケース１２の内部には、リール２０が１つだけ回転可能に収容される。このリール２０は、軸心部を構成する有底円筒状のリールハブ２２と、その下端部に設けられる下フランジ２６とが一体成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１９】
また、リールハブ２２の底壁２８の下面には、リールギア（図示省略）が環状に形成されており、下ケース１６の中央部には、そのリールギアを外部に露出させるためのギア開口４６が穿設されている。このギア開口４６から露出されるリールギアが、ドライブ装置の回転シャフト（図示省略）に形成された駆動ギア（図示省略）に噛合されて回転駆動されることにより、ケース１２内において、リール２０がケース１２に対して相対回転可能とされる。
【００２０】
また、底壁２８の下面におけるリールギアの径方向内側には、磁性材料でできた環状金属板であるリールプレート（図示省略）がインサート成形等により固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４６と同軸的な円形の軌跡上にある内壁としての遊動規制壁４８によってガタつかないように保持されている。
【００２１】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が、直接又はリーダーテープ（図示省略）を介して固着されている。
【００２２】
リーダーピン３０は、図３で詳細に示すように、円柱状の本体部３２と、その本体部３２の両端に、本体部３２の直径よりも大径で、かつ一体に形成された円板状のフランジ部（鍔部）３６と、を有しており、本体部３２には、記録テープＴが取り付けられるエリアを規定する小フランジ部３４が一体に形成されている。この小フランジ部３４の直径は、本体部３２の直径よりも大きく、かつフランジ部３６の直径と同じか、それよりも小さく形成されている。
【００２３】
そして、この小フランジ部３４は、フランジ部３６よりも薄く形成されており、小フランジ部３４とフランジ部３６との間が、ドライブ装置の引出部材のフック（図示省略）等に係止される環状溝３５とされている。この小フランジ部３４を設けることにより、記録テープＴを引き出す際に、フック等が記録テープＴに接触して傷付けることがない構成である。なお、フランジ部３６の外面３６Ａは、曲率の小さい凸曲面とされている。
【００２４】
また、図２、図４、図５で示すように、ケース１２の開口１８の近傍には、ケース１２内においてリーダーピン３０を位置決めして保持する上下一対の保持部４０が一体的に取り付けられるようになっている。この保持部４０は、略矩形平板状に、例えばアルミニウム等の金属材料で成形されており、上ケース１４の天板１４Ａ外面に形成された被取付部としての凹部１５と、下ケース１６の底板１６Ａ外面に形成された被取付部としての凹部１７に、それぞれかしめ等の固着手段によって取り付けられる（固着される）ようになっている。
【００２５】
各凹部１５、１７には平面視略「Ｕ」字状の切欠部１５Ａ、１７Ａが形成されており、保持部４０の矢印Ｂ方向側（記録テープＴの引出側）における周縁部略中央には、その切欠部１５Ａ、１７Ａの開放側の幅Ｌと同じ幅Ｌのテーパー部４０Ａが形成されている（図４参照）。したがって、保持部４０を各凹部１５、１７に取り付ける（固着する）と、開口１８の近傍には、記録テープＴの引出側が開放され、リーダーピン３０のフランジ部３６の外面３６Ａが保持される平面視略「Ｕ」字状の凹部４１が形成される（図５参照）。これにより、直立状態のリーダーピン３０のフランジ部３６が、その凹部４１の開放側から凹部４１内に出入可能とされる。
【００２６】
また、上ケース１４及び下ケース１６に取り付けられた保持部４０と上下方向で対向する張出部４４（後述）と、前壁１２Ａとの間の上ケース１４の天板１４Ａ内面及び下ケース１６の底板１６Ａ内面には、図２で示すような略「コ」字状とされた板バネ３８を収容する溝部３９が形成されている（図４、図５参照）。すなわち、板バネ３８の基部３８Ａの上下端部が、この溝部３９内に固定配置されるようになっている。
【００２７】
そして、この板バネ３８の二股状の先端部３８Ｂが、リーダーピン３０の上下フランジ部３６の外周面３６Ｃにそれぞれ係合（圧接）して、リーダーピン３０を凹部４１（保持部４０）に保持するようになっている。なお、リーダーピン３０が凹部４１（保持部４０）に出入する際には、板バネ３８の先端部３８Ｂは、適宜弾性変形して、リーダーピン３０の移動を許容する構成である。
【００２８】
また、開口１８は、ドア５０によって開閉される。このドア５０は、図１、図２で示すように、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２９】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００３０】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００３１】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３２】
次に、開口１８近傍の構成について、更に詳細に説明する。なお、開口１８近傍の構成は上下共に同じ構成であるため、主に図４〜図１０で示す下ケース１６側について説明する。保持部４０は、上ケース１４及び下ケース１６とは別体の金属材料で成形され、かしめ等の固着手段により、その上ケース１４の天板１４Ａ外面及び下ケース１６の底板１６Ａ外面にそれぞれ形成された凹部１５、１７に、一体的に取り付けられる（固着される）ようになっており、その天板１４Ａ及び底板１６Ａの一部を構成するようになっている。
【００３３】
図４〜図１０で示すように、凹部１５、１７の深さＦは保持部４０の厚さＨと同一とされ、その凹部１５、１７には、固着ピン１５Ｂ、１７Ｂが複数本（図示のものは４本）、所定間隔を隔てて（図示のものは各凹部１５、１７におけるコーナー部近傍に）突設されている。そして、保持部４０には、各固着ピン１５Ｂ、１７Ｂを挿通可能な貫通孔４０Ｂが複数（図示のものは４個）穿設されている。各貫通孔４０Ｂの内周面には、外方側の内径が内方側（凹部１５、１７に接触する面側）の内径よりも大径となる段差部４０Ｃが形成されており、内方側の内径は、固着ピン１５Ｂ、１７Ｂの外径と同一か、それよりも若干大径とされている。
【００３４】
ここで、図６〜図１０で示す下ケース１６側を例に採り、その固着（取付）方法を説明すると、保持部４０を凹部１７に取り付けるためには、まず図６、図９で示すように、保持部４０を凹部１７に嵌合させる。このとき、図７で示すように、固着ピン１７Ｂを貫通孔４０Ｂに挿通させる。なお、固着ピン１７Ｂの長さ（高さ）は、貫通孔４０Ｂに挿通されたときに、下ケース１６の底板１６Ａ外面（下面）から所定量下方へ突出する長さ（高さ）とされている。
【００３５】
保持部４０を凹部１７に嵌合し、貫通孔４０Ｂから固着ピン１７Ｂの先端部を突出させたら、その貫通孔４０Ｂから突出している固着ピン１７Ｂの先端部を潰してかしめる。すると、かしめられた固着ピン１７Ｂの先端部は、貫通孔４０Ｂの段差部４０Ｃに係止され、これによって、保持部４０が凹部１７に固着される（取り付けられる）。なお、かしめたときに、底板１６Ａ外面（下面）から突出する固着ピン１７Ｂの一部は、固着後に適宜削られるようになっており、底板１６Ａ外面（下面）の平面性は確保されるようになっている。
【００３６】
こうして、上ケース１４及び下ケース１６に保持部４０が一体的に取り付けられる（固着される）が、この保持部４０が取り付けられることにより、上記したように、リーダーピン３０のフランジ部３６の外面３６Ａ（図３参照）を保持する平面視略「Ｕ」字状の凹部４１が形成される。そして、その凹部４１（保持部４０）と高さ方向（上下方向）に所定間隔を隔てた対向位置には、リーダーピン３０（フランジ部３６）を凹部４１（保持部４０）に保持したときに、互いに対向するフランジ部３６の内面３６Ｂ側に、非接触で所定量オーバーラップする張出部４４が形成されている。
【００３７】
すなわち、凹部４１（保持部４０）と張出部４４との間の間隔Ｗ（図１１（Ａ）参照）は、フランジ部３６の厚さＤ（図３参照）よりも広く形成されており、凹部４１（保持部４０）に保持されたフランジ部３６の内面３６Ｂと張出部４４の外面４４Ｂとの間には、所定のクリアランスが形成されるようになっている。なお、張出部４４の記録テープＴの引出側略中央には、環状溝３５部分の本体部３２を許容する平面視略「Ｕ」字状の切欠部４４Ａが形成されている。
【００３８】
また、図４〜図６で示すように、記録テープＴの引出側とは反対側の切欠部１７Ａ周りには、フランジ部３６の外周面３６Ｃが対向（当接）する平面視略「Ｕ」字状の内壁面４２が形成されており、この内壁面４２の高さ方向先端部（上端部）から記録テープＴの引出側へ張出部４４が一体に延設されている。したがって、この張出部４４は、上ケース１４及び下ケース１６と一体成形されている場合には、いわゆるアンダーカット部となって金型が複雑化するが、ここでは保持部４０が、上ケース１４及び下ケース１６とは別体で成形され、後から取り付けられる構成とされているため、金型が複雑化するおそれがない。
【００３９】
また、図１１で示すように、張出部４４の切欠部４４Ａ側における周面で、かつフランジ部３６が挿入される側は、面取り加工又はフィレット加工（Ｒ加工）により、所定角度のテーパー面４４Ｃとされている。これにより、リーダーピン３０が傾いた状態で、凹部４１（保持部４０）に戻されても（図１１（Ａ）参照）、そのフランジ部３６が張出部４４に干渉しないで（スタックしないで）収容される構成である（図１１（Ｂ）参照）。
【００４０】
つまり、これにより、リーダーピン３０は、張出部４４があっても安定して着脱可能となる構成である。なお、切欠部４４Ａ側の周面には、直線部４４Ｄを残すことが望ましい。このような直線部４４Ｄを残すと、張出部４４の強度を確保することができる（張出部４４の強度を損なわないようにできる）。
【００４１】
以上のような構成の記録テープカートリッジ１０において、次に、その作用について説明する。上記構成の記録テープカートリッジ１０では、不使用時（保管時や運搬時等、ドライブ装置に装填されないとき）には、開口１８がドア５０によって閉塞されている。そして、記録テープＴがリール２０のリールハブ２２に巻装されている。
【００４２】
記録テープＴを使用する際には、前壁１２Ａを先頭にして、記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って、溝部６４内を後側へ摺動し、開口１８を開放する。
【００４３】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に相対的に挿入される。これにより、記録テープカートリッジ１０がドライブ装置内における所定位置に正確に位置決めされ、ドア５０のそれ以上の摺動（後方への移動）が規制される。
【００４４】
また、記録テープカートリッジ１０の下降動作によって、回転シャフトが相対的にギア開口４６から進入し、駆動ギアをリールギアに噛合させる。そして、駆動ギアとリールギアとが完全に噛合した状態で、リールプレートが、駆動ギアの内側に設けられた環状のマグネットの磁力によって吸着・保持されることにより、リール２０は、駆動ギアに対するリールギアの噛合が維持されつつ、ケース１２内で、そのケース１２に対して相対回転可能となる。
【００４５】
一方、開放された開口１８からは、ドライブ装置に設けられた引出部材がケース１２内に進入し、凹部４１（保持部４０）に位置決め保持されたリーダーピン３０を把持して引き出す。なお、このとき、記録テープカートリッジ１０はドライブ装置内において正確に位置決めされているので、引出部材は確実にリーダーピン３０の環状溝３５にそのフックを係止させることができる。
【００４６】
こうして、開口１８から抜き出されたリーダーピン３０は、巻取リール（図示省略）に収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００４７】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されると、リーダーピン３０が凹部４１（保持部４０）に保持される。なお、このとき、板バネ３８の先端部３８Ｂは適宜弾性変形して、リーダーピン３０の凹部４１（保持部４０）への収容を許容する。そして、張出部４４が、フランジ部３６の内面３６Ｂ側で、そのフランジ部３６に平面視で所定量オーバーラップする。
【００４８】
その後、記録テープカートリッジ１０は所定高さ上昇し、位置決め部材が位置決め用の穴部から抜き出されるとともに、回転シャフトがギア開口４６から抜き出され、リールギアに対する駆動ギアの噛合が解除される。そして、記録テープカートリッジ１０は、イジェクト機構（図示省略）によって矢印Ａ方向とは反対方向に移動される。すると、この移動に伴って、ドア５０はコイルバネ５８の付勢力によって開口１８の閉塞方向へ摺動し、開口１８を完全に閉塞する（初期状態に復帰する）。こうして、開口１８が閉塞された記録テープカートリッジ１０は、ドライブ装置内から完全に排出される。
【００４９】
ここで更に、保持部４０及び張出部４４の作用について説明する。図１１（Ｂ）で示すように、リーダーピン３０は、本体部３２の上下両端部に設けられたフランジ部３６が、それぞれ保持部４０（凹部４１）と張出部４４の間に入り込んだ状態で、その凹部４１に保持される。したがって、開口１８付近に落下等により衝撃が加えられ、その開口１８付近が口開きするように（上ケース１４と下ケース１６が互いに離隔するように）撓み変形しようとしても、その撓み変形をリーダーピン３０によって抑制することができる。
【００５０】
つまり、開口１８付近が口開きするように撓み変形すると、リーダーピン３０のフランジ部３６の内面３６Ｂ側に、張出部４４の外面４４Ｂ側が圧接するので、その口開きを、リーダーピン３０によって抑制することができる。また、これにより、リーダーピン３０のフランジ部３６が、張出部４４によって押さえられることになるので、リーダーピン３０の凹部４１（保持部４０）からの離脱が防止される。
【００５１】
また、ドライブ装置に装填されない不使用時において、張出部４４が、平面視略「Ｕ」字状の切欠部４４Ａによって、リーダーピン３０の本体部３２を許容するとともに、フランジ部３６の内面３６Ｂ側において、常にそのフランジ部３６に所定量オーバーラップするので、リーダーピン３０は、その傾倒が防止され、凹部４１（保持部４０）からの離脱が防止される。したがって、リーダーピン３０（フランジ部３６）を押さえる板バネ３８を省略することもできる。
【００５２】
また、リーダーピン３０のフランジ部３６に非接触でオーバーラップする張出部４４は、いわゆるアンダーカット部にならないように成形される。つまり、張出部４４に上下方向で対向する保持部４０が、ケース１２とは別体で成形され、後からケース１２に取り付けられる（固着される）構成になっている。したがって、ケース１２を成形する金型にスライド機構を設ける必要がなく、金型の構成が複雑化することがない。つまり、金型の構成を簡略化することができ、金型が高価になる不具合が生じない。
【００５３】
また、これにより、複雑な形状である開口１８近傍の形状を安定化することができ、トラブルの発生を防止することができる。また更に、保持部４０が別体で成形できることから、その保持部４０を金属材料で成形することが可能となる。保持部４０が金属材料で成形されると、開口１８近傍の剛性（強度）を向上させることができるので、落下等により開口１８近傍に衝撃が加えられたときのリーダーピン３０の保持部４０からの離脱をより一層防止することができる。
【００５４】
なお、張出部４４は、上ケース１４及び下ケース１６の両方に設けられることが望ましいが、上ケース１４又は下ケース１６のどちらか片方のみに設けられる構成としてもよい。その場合、少なくとも張出部４４が形成される上ケース１４又は下ケース１６の保持部４０を別体とすればよい。つまり、張出部４４が形成されていない上ケース１４又は下ケース１６の保持部４０は、その天板１４Ａ又は底板１６Ａと一体成形してもよいし、別体としてもよい。
【００５５】
張出部４４が、上ケース１４又は下ケース１６のどちらか片方のみに設けられる構成の場合でも、開口１８付近に落下等により衝撃が加えられ、その開口１８付近が口開きするように（上ケース１４と下ケース１６が互いに離隔するように）撓み変形しようとした際には、リーダーピン３０の傾倒を抑制することができるので、そのリーダーピン３０を凹部４１（保持部４０）から離脱し難くできる。
【００５６】
なお、張出部４４（切欠部４４Ａ）の形状は、図示の形状に限定されるものではなく、本体部３２を許容でき、かつフランジ部３６の内面３６Ｂ側に、非接触で所定量オーバーラップできるような形状に形成されていればよい。また、保持部４０の形状も、平面視略矩形状に限定されるものではなく、例えば図１２（Ａ）で示すように、平面視略「Ｄ」字形状に形成したり、例えば図１２（Ｂ）で示すように、平面視略ホームベース形状（五角形状）等に形成してもよい。
【００５７】
更に、保持部４０の材質は、金属に限定されるものではなく、また、上ケース１４及び下ケース１６に保持部４０を固着するための固着手段も、かしめに限定されるものではない。すなわち、図１３、図１４で示すように、例えば保持部４０を上ケース１４及び下ケース１６と同じ樹脂材（例えばＰＣ）で成形し、超音波溶着によって取り付ける（固着する）構成にしてもよい。
【００５８】
この場合、保持部４０の所定位置に突設されたエネルギーダイレクター４５を、底板１６Ａの凹部１７（天板１４Ａの凹部１５も同様）に当接しつつ、ホーン（図示省略）から発生される超音波で溶融すればよい。これにより、保持部４０を凹部１７に取り付ける（固着する）ことができる。なお、樹脂製とされた保持部４０を樹脂製とされた上ケース１４や下ケース１６に固着する場合、熱溶着等によって固着してもよい。
【００５９】
以上、説明したように、張出部４４と上下方向（高さ方向）で対向する保持部４０を、上ケース１４や下ケース１６と別体で成形し、上ケース１４や下ケース１６の成形後に取り付ける構成としたので、上ケース１４や下ケース１６にアンダーカット部が形成されない。したがって、金型の形状が複雑にならず、低コストでケース１２（上ケース１４や下ケース１６）を製造することができる。
【００６０】
また、保持部４０を上ケース１４や下ケース１６と別体にしたので、保持部４０の材質変更が可能となり、例えば保持部４０を金属材料で成形すると、開口１８近傍の剛性（強度）を向上させることができる。したがって、落下等により開口１８近傍に衝撃が加えられたときのリーダー部材（リーダーピン３０）の保持部４０からの離脱をより一層防止することができる。
【図面の簡単な説明】
【００６１】
【図１】記録テープカートリッジの概略斜視図
【図２】記録テープカートリッジの概略分解斜視図
【図３】リーダーピンの概略正面図
【図４】かしめによって固着する前の凹部と保持部を上方から示す概略斜視図
【図５】かしめによって固着した後の凹部と保持部を上方から示す概略斜視図
【図６】かしめによって固着する前の凹部と保持部を下方から示す概略斜視図
【図７】凹部の固着ピンを保持部の貫通孔に挿通させた状態を示す概略斜視図
【図８】かしめによって固着した後の凹部と保持部を下方から示す概略斜視図
【図９】かしめによって固着する前の凹部と保持部を示す概略正面図
【図１０】かしめによって固着した後の凹部と保持部を示す概略正面図
【図１１】（Ａ）リーダーピンが傾いて保持部へ戻された状態を示す概略側断面図、（Ｂ）リーダーピンが保持部に保持された状態を示す概略側断面図
【図１２】保持部の別の形状を示す概略底面図
【図１３】溶着によって固着する前の凹部と保持部を示す概略正面図
【図１４】溶着によって固着した後の凹部と保持部を示す概略正面図
【符号の説明】
【００６２】
１０  記録テープカートリッジ
１２  ケース
１４  上ケース
１５  凹部
１５Ａ  切欠部
１５Ｂ  固着ピン
１６  下ケース
１７  凹部
１７Ａ  切欠部
１７Ｂ  固着ピン
１８  開口
２０  リール
３０  リーダーピン（リーダー部材）
３６  フランジ部（鍔部）
３６Ａ  外面
３６Ｂ  内面
３６Ｃ  外周面
３８  板バネ
４０  保持部
４０Ａ  テーパー部
４０Ｂ  貫通孔
４０Ｃ  段差部
４１  凹部
４２  内壁面
４４  張出部
４５  エネルギーダイレクター
５０  ドア
Ｔ  記録テープ
【図１】
2009099208.tif 000003
【図２】
2009099208.tif 000004
【図３】
2009099208.tif 000005
【図４】
2009099208.tif 000006
【図５】
2009099208.tif 000007
【図６】
2009099208.tif 000008
【図７】
2009099208.tif 000009
【図８】
2009099208.tif 000010
【図９】
2009099208.tif 000011
【図１０】
2009099208.tif 000012
【図１１】
2009099208.tif 000013
【図１２】
2009099208.tif 000014
【図１３】
2009099208.tif 000015
【図１４】
2009099208.tif 000016